(57)【特許請求の範囲】
【請求項１】
画像処理装置を使用する使用者を識別する識別手段と、
蓄積装置に蓄積され、データと該データを生成した使用者の使用者情報と前記データの出力を許可する使用者情報を含むジョブであって、該ジョブの前記データの出力を許可する使用者情報と前記識別手段で識別した使用者情報とが一致した場合に前記ジョブを取得し、前記データを生成した使用者情報と前記識別手段で識別した使用者情報とが一致した場合に前記ジョブを前記蓄積装置から取得する取得手段と、
前記取得手段で取得したジョブを印刷する印刷手段と、
代行使用者を認証し、代行使用者自身がスキャンした文書データと使用者に代わって代行使用者がスキャンした文書データとを保存するとともにこれらの文書データを分類して表示する親展ボックスと、
を備えたことを特徴とする画像処理装置。
【請求項２】
前記取得手段は、前記ジョブを生成した使用者と前記識別手段で識別された使用者が同一であれば、前記ジョブを取得することを特徴とする請求項１に記載の画像処理装置。
【請求項３】
前記印刷手段で印刷する処理が終了した後に、該ジョブを消去する要求を前記取得手段でジョブを取得した取得元に送信することを特徴とする請求項１または請求項２の何れかに記載の画像処理装置。
【請求項４】
前記印刷手段で印刷する処理が終了した後に、該ジョブを消去せずに保存することの要求を前記取得手段でジョブを取得した取得元に送信することを特徴とする請求項１から請求項３の何れかに記載の画像処理装置。
【請求項５】
データと該データを生成した使用者の使用者情報と前記データの出力を許可する使用者情報を含むジョブを蓄積手段に送信する送信手段と、
前記送信手段で送信されたジョブを蓄積する前記蓄積手段と、
画像処理装置を使用する使用者を識別する識別手段と、
画像処理システムを代行して使用する代行使用者を認証する認証手段と、
前記識別手段で識別した使用者情報と前記蓄積手段に蓄積されているジョブの前記データの出力を許可する使用者情報とが一致した場合に前記ジョブを取得し、前記認証手段で認証された使用者情報と前記蓄積手段に蓄積されているジョブのデータを生成した使用者情報とが一致する場合に、該ジョブを取得する取得手段と、
前記取得手段で取得したジョブを印刷する印刷手段と、
代行使用者を認証し、代行使用者自身がスキャンした文書データと使用者に代わって代行使用者がスキャンした文書データとを保存するとともにこれらの文書データを分類して表示する親展ボックスと、
を備えたことを特徴とする画像処理システム。
【請求項６】
前記データの出力を許可する使用者情報は２つ以上設定できることを特徴とする請求項５に記載の画像処理システム。
【請求項７】
使用者情報が複数選択されている場合に、前記印刷手段で印刷する処理が終了した後に、該ジョブを消去せずにジョブを保持する保持手段を備えることを特徴とする請求項５または請求項６の何れかに記載の画像処理システム。
【請求項８】
使用者情報が一つ選択されている場合に、前記印刷手段で印刷する処理が終了した後に該ジョブを消去する消去手段を備えることを特徴とする請求項５または請求項６の何れかに記載の画像処理システム。
【発明の詳細な説明】
【技術分野】
【０００１】
本発明は、画像処理装置および画像処理システムに関するものである。
【背景技術】
【０００２】
従来から、複合機、プリンタ、複写機などの画像処理装置を使用する際に、使用者（使用者）をＩＤコードやパスワード（データベースや情報サービスなどを利用する際に、利用者かどうかを判断するために使用される文字列のこと）の入力により認証を行うと共に、使用者ごとにプリント、コピー、スキャン等のジョブ（処理）の実行回数を管理したり、実行回数に応じて課金を行ったりする装置やシステムに関する技術がある。
【０００３】
また、使用者に代えて指定した代行者にプリント、コピー、スキャン等のジョブを行わせるようにする技術も種々提案されている。
【０００４】
例えば、特開２００４−２７６２７１号公報には、操作者に認証により操作可能となる画像形成装置において、他人に依頼操作する際に、操作依頼されるオペレータの認証と、操作依頼する本人による「代行シート」の読取の結果から、代行操作の可否を判断する技術が開示されている。
【０００５】
また、特開２００７−１２１６６９号公報には、使用者に代行して画像処理装置を用いた処理をさせる際に用いる代行アカウントを設定して、代行アカウントデータベースに登録し、代行アカウントの認証を経てログインした使用者の操作に従って実行された処理を、代行アカウント管理として管理すると共に、代行アカウントに基づく操作で実行された処理を依頼した使用者のアカウントデータベースに更新する技術が開示されている。
【先行技術文献】
【特許文献】
【０００６】
【特許文献１】特開２００４−２７６２７１号公報
【特許文献２】特開２００７−１２１６６９号公報
【発明の概要】
【発明が解決しようとする課題】
【０００７】
本発明は、情報漏洩を抑制することのできる画像処理装置および画像処理システムを提供することを目的とする。
【課題を解決するための手段】
【０００８】
前記課題を解決するため、請求項１の発明に係る画像処理装置は、画像処理装置を使用する使用者を識別する識別手段と、蓄積装置に蓄積され、データと該データを生成した使用者の使用者情報と前記データの出力を許可する使用者情報を含むジョブであって、該ジョブの前記データの出力を許可する使用者情報と前記識別手段で識別した使用者情報とが一致した場合に前記ジョブを取得し、前記データを生成した使用者情報と前記識別手段で識別した使用者情報とが一致した場合に前記ジョブを前記蓄積装置から取得する取得手段と、前記取得手段で取得したジョブを印刷する印刷手段と、代行使用者を認証し、代行使用者自身がスキャンした文書データと使用者に代わって代行使用者がスキャンした文書データとを保存するとともにこれらの文書データを分類して表示する親展ボックスと、を備えたことを特徴とする。
【０００９】
請求項２の発明に係る画像処理装置は、請求項１に記載の発明において、前記取得手段は、前記ジョブを生成した使用者と前記識別手段で識別された使用者が同一であれば、前記ジョブを取得することを特徴とする。
【００１０】
請求項３の発明に係る画像処理装置は、請求項１または請求項２の何れかに記載の発明において、前記印刷手段で印刷する処理が終了した後に、該ジョブを消去する要求を前記取得手段でジョブを取得した取得元に送信することを特徴とする。
【００１１】
請求項４の発明に係る画像処理装置は、請求項１から請求項３の何れかに記載の発明において、前記印刷手段で印刷する処理が終了した後に、該ジョブを消去せずに保存することの要求を前記取得手段でジョブを取得した取得元に送信することを特徴とする。
【００１３】
請求項５の発明に係る画像処理システムは、データと該データを生成した使用者の使用者情報と前記データの出力を許可する使用者情報を含むジョブを蓄積手段に送信する送信手段と、前記送信手段で送信されたジョブを蓄積する前記蓄積手段と、画像処理装置を使用する使用者を識別する識別手段と、画像処理システムを代行して使用する代行使用者を認証する認証手段と、前記識別手段で識別した使用者情報と前記蓄積手段に蓄積されているジョブの前記データの出力を許可する使用者情報とが一致した場合に前記ジョブを取得し、前記認証手段で認証された使用者情報と前記蓄積手段に蓄積されているジョブのデータを生成した使用者情報とが一致する場合に、該ジョブを取得する取得手段と、前記取得手段で取得したジョブを印刷する印刷手段と、代行使用者を認証し、代行使用者自身がスキャンした文書データと使用者に代わって代行使用者がスキャンした文書データとを保存するとともにこれらの文書データを分類して表示する親展ボックスと、を備えたことを特徴とする。
【００１４】
請求項６の発明に係る画像処理システムは、請求項５に記載の発明において、前記データの出力を許可する使用者情報は２つ以上設定できることを特徴とする。
【００１５】
請求項７の発明に係る画像処理システムは、請求項５または請求項６の何れかに記載の発明において、使用者情報が複数選択されている場合に、前記印刷手段で印刷する処理が終了した後に、該ジョブを消去せずにジョブを保持する保持手段を備えることを特徴とする。
【００１６】
請求項８の発明に係る画像処理システムは、請求項５または請求項６の何れかに記載の発明において、使用者情報が一つ選択されている場合に、前記印刷手段で印刷する処理が終了した後に該ジョブを消去する消去手段を備えることを特徴とする。
【発明の効果】
【００１７】
本発明によれば以下の効果を奏することができる。
【００１８】
すなわち、請求項１に記載の発明によれば、画像処理装置で認証された使用者全員にジョブの印刷を許可する場合に比べて情報漏洩を抑制することのでき、かつジョブを生成した人のみにジョブの印刷を許可する場合に比べて利便性を高めることができる画像処理装置を提供することができる。
【００１９】
請求項２に記載の発明によれば、ジョブを生成した使用者と識別手段で識別された使用者が同一であればジョブを取得して、画像処理装置で認証された使用者全員にジョブの印刷を許可する場合に比べて情報漏洩を抑制することのでき、かつジョブを生成した人のみにジョブの印刷を許可する場合に比べて利便性を高めることができる画像処理装置を提供することができる。
【００２０】
請求項３に記載の発明によれば、印刷手段で印刷する処理が終了した後にジョブを消去する要求をジョブの取得元に送信して、印刷したジョブを消去せず蓄積する場合に比べて情報漏洩を抑制することができる画像処理装置を提供することができる。
【００２１】
請求項４に記載の発明によれば、印刷手段で印刷する処理が終了した後にジョブを消去せずに保存することの要求をジョブの取得元に送信して、印刷したジョブを消去せず蓄積する場合に比べて情報漏洩を抑制することができる画像処理装置を提供することができる。
【００２３】
請求項５に記載の発明によれば、画像処理装置で認証された使用者全員にジョブの印刷を許可する場合に比べて情報漏洩を抑制することのでき、かつジョブを生成した人のみにジョブの印刷を許可する場合に比べて利便性を高めることができる画像処理システムを提供することができる。
【００２４】
請求項６に記載の発明によれば、画像処理装置で認証された使用者全員にジョブの印刷を許可する場合に比べて情報漏洩を抑制することのでき、かつジョブを生成した人のみにジョブの印刷を許可する場合に比べて利便性を高めることができる画像処理システムを提供することができる。
【００２５】
請求項７に記載の発明によれば、一度出力されたジョブを再度ジョブの蓄積を指示することなしにプリント出力することができる画像処理システムを提供することができる。
【００２６】
請求項８に記載の発明によれば、画像処理装置で認証された使用者全員にジョブの印刷を許可する場合に比べて情報漏洩を抑制することのでき、かつジョブを生成した人のみにジョブの印刷を許可する場合に比べて利便性を高めることができる画像処理システムを提供することができる。
【図面の簡単な説明】
【００２７】
【図１】第１の実施の形態に係る画像処理システムＳ１の構成を示す機能ブロック図である。
【図２】第１の実施の形態に係る画像処理システムＳ１の構成を示す構成図である。
【図３】プリント情報の構成例を示す説明図である。
【図４】スキャン情報の構成例を示す説明図である。
【図５】画像処理システムＳ１における処理の流れの例を示す説明図である。
【図６】代行プリント処理の処理手順を示すフローチャートである。
【図７】代行使用者のプリント操作処理の処理手順を示すフローチャートである。
【図８】代行使用者のプリント操作処理の処理手順を示すフローチャートである。
【図９】他のプリンタにおける代行プリント情報の展開処理の処理手順を示すフローチャートである。
【図１０】第２の実施の形態に係る画像処理システムＳ２の構成を示す構成図である。
【発明を実施するための形態】
【００２８】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２９】
（第１の実施の形態）
【００３０】
図１から図１８を参照して、本発明についての第１の実施の形態に係る画像処理システムＳ１について説明する。
【００３１】
図１および図２に示すように、画像処理システムＳ１は、画像に関する処理を行う少なくとも１の画像処理装置（複合機またはプリンタ等の画像形成装置またはスキャナ装置等の画像読取装置）ＰＲ１と、画像処理装置ＰＲ１とＬＡＮ等で構成される通信手段Ｎを介して接続されるパーソナルコンピュータ等で構成される情報処理装置ＰＣ１〜ＰＣ３とから構成されている。
【００３２】
なお、通信手段Ｎに接続される画像処理装置および情報処理装置の台数は任意である。
【００３３】
画像処理装置ＰＲ１は、データと該データを生成した使用者の使用者情報と前記データの出力を許可する使用者情報を含むジョブを蓄積手段に送信するジョブ送信部２０（送信手段の一例）と、ジョブ送信部２０で送信されたジョブを蓄積するジョブ蓄積部２１（蓄積手段、蓄積装置の一例）と、画像処理装置ＰＲ１を使用する使用者を識別する認証部２２（識別手段の一例）と、認証部２２で識別した使用者情報とジョブ蓄積部２１に蓄積されているジョブの前記データの出力を許可する使用者情報とが一致した場合に前記ジョブを取得し、ジョブ蓄積部２１で認証された使用者情報とジョブ蓄積部２１に蓄積されているジョブのデータを生成した使用者情報とが一致する場合に、該ジョブを取得するジョブ取得部２３（取得手段の一例）と、ジョブ取得部２３で取得したジョブを印刷するプリントエンジン等で構成される印刷部２４（印刷手段の一例）とから構成されている。
【００３４】
なお、ジョブ蓄積部２１は、プリントジョブやスキャンジョブなどの印刷情報（プリント情報）や認証情報（使用者情報）等を格納するハードディスク装置（記憶装置の一つ。磁性体を塗布または蒸着した金属のディスク(「プラッタ」という)を一定の間隔で何枚も重ね合わせた構造になっており、これをモータで高速に回転させて磁気ヘッドを近づけてデータを読み書きする。）等で構成される。
【００３５】
認証部２２の構成や態様は特には限定されず、例えば代行使用者毎に発行されるＩＤコードやパスワードによって認証を行う構成や、代行使用者の身体的特徴（指紋、光彩等）を取得して認証を行うバイオメトリックス認証システム等を備えるようにしてもよい。
【００３６】
ここで代行使用者とは、例えば画像処理装置又はサーバ等にプリント情報の指示の蓄積を指示した人以外に、蓄積されたプリント情報の出力が可能な人のことを言う。
【００３７】
認証部２２には、代行使用者に関する情報の登録や変更等の設定を行う設定装置を接続してもよい。
【００３８】
各情報処理装置ＰＣ１〜ＰＣ３は、パーソナルコンピュータ等で構成され、ハードディスク装置等で構成される情報登録部（図示せず）の所定領域には、複数の代行使用者の氏名等や各代行使用者の認証情報等が登録される。
【００３９】
なお、ハードディスク装置等には、所定のＯＳ、各種処理を行うソフトウェアやデータ等がインストールされている。
【００４０】
また、各情報処理装置ＰＣ１〜ＰＣ３は、情報登録部に登録されている情報に基づいて所望の代行使用者を選択する代行使用者選択部（図示せず）を備えるようにしてもよい。
【００４１】
次に、図３から図５を参照して、画像処理装置（複合機）ＰＲ１に送られる情報のファイル構成の例について説明する。
【００４２】
情報処理装置ＰＣ１〜ＰＣ３で生成されるプリント情報（印刷情報）は、いわゆるプライベートプリントを実行するために、図３に示すような構成のデータが画像処理装置（複合機）ＰＲ１に送られる。
【００４３】
なお、プライベートプリントとは、例えば、使用者（利用者）認証との連動により、プリント指示に伴い、プリント情報は、プリンタ本体のハードディスクに一旦蓄積され、パスワードなどによる使用者認証の後、自身のプリントジョブのみが表示された操作パネルに表示され、操作パネルからジョブを選択し、出力を実行するような印刷処理をいう。
【００４４】
また、使用者認証には、バイオメトリックス認証などを用いてもよい。
【００４５】
また、蓄積する文書は、プリント指示によるプリント情報であってもよいし、スキャン指示によって蓄積されるスキャンデータでもよい。
【００４６】
図３に示す例では、プリント情報を生成した人との使用者ＩＤと、ジョブ蓄積部２１に蓄積されたプリントジョブを出力するために必要な認証ＩＤ、プリント指示した人以外に、蓄積されるプリント情報の出力を許可する人の使用者ＩＤ（ＩＤ１〜ＩＤｎ；ｎは整数）（代行使用者ＩＤ）とプリント情報とを結合させたデータがプリント情報として画像処理装置（複合機）ＰＲ１に送られる。
【００４７】
画像処理装置（複合機）ＰＲ１が備えるいわゆる親展ボックスによる代行スキャンを実行するために、図４に示すような構成のスキャン情報が画像処理装置（複合機）ＰＲ１に登録される。
【００４８】
なお、親展ボックスとは、例えば、スキャナや複合機のスキャン機能の中でサポートされている機能の１つで、スキャンした文書データを保存しておく場所をいう。
【００４９】
図４に示す例では、ジョブ蓄積部に蓄積するスキャンデータを生成した人の使用者ＩＤ(スキャンジョブを生成した人のＩＤ)と、ジョブ蓄積部に蓄積されたプリントジョブを出力するために必要な認証ＩＤ、スキャンによりハードディスクにスキャンデータを蓄積することを指示した以外に、蓄積されるスキャンデータの出力を許可する人の使用者ＩＤ（ＩＤ１〜ＩＤｎ；ｎは整数）（代行使用者ＩＤ）とスキャンデータとを結合させたデータがプリント情報として画像処理装置（複合機）ＰＲ１に送られる。
【００５０】
次に、図５を参照して、代行プリントの処理の流れについて述べる。
【００５１】
まず、（１）で使用者が情報処理装置ＰＣ１〜ＰＣ３の何れかからプリント操作をする際に、代行使用者を代行使用者選択部で選択する。なお、必要に応じてパスワードを設定する。
【００５２】
次いで、（２）で情報処理装置ＰＣ１〜ＰＣ３からは、プリント情報に代行使用者ＩＤと必要であればパスワードが付加されて、画像処理装置（複合機）ＰＲ１に送られる。
【００５３】
（３）で、画像処理装置（複合機）ＰＲ１は、認証部２２で代行使用者のＩＤを読み取る。
【００５４】
（４）で、画像処理装置（複合機）ＰＲ１は、ジョブ蓄積部に蓄積されたジョブから、（３）で読み取ったＩＤで登録されているプリント情報を操作画面に表示する。このとき、表示されるプリント情報は、読み取ったＩＤの使用者が生成したプリント情報と、読み取ったＩＤの使用者以外が生成したプリント情報の中で、読み取ったＩＤが付与されているプリント情報を表示する。
【００５５】
（５）で、代行使用者は、プリントするプリント情報を選択する。なお、代行プリント情報にパスワードが設定されていた場合には、所定のパスワードを入力する。
【００５６】
（６）で、画像処理装置（複合機）ＰＲ１は、（５）で選択されたプリント情報を印刷する。なお、代行プリント情報にパスワードが設定されていた場合には、入力されたパスワードと画像処理装置（複合機）ＰＲ１のプリント情報からパスワードを比較して、一致している場合に、選択されたプリント情報を印刷する。
【００５７】
またジョブ蓄積部が、画像処理装置の内部になく、通信手段Ｎに独立した装置としてある場合には、通信手段Ｎを介してプリント情報を取得してもよい。
【００５８】
なお、ジョブ蓄積部に蓄積されたプリント情報が、一定時間蓄積されている場合には、プリント情報をジョブ蓄積部から消去するなどの処理を行ってもよい。
【００５９】
これにより、自分以外の使用者にプリントを代行する場合に、認証カードの貸し借りをせずに、プライベートプリントされ、セキュリティを保持しながら、利便性を向上させたプライベートプリントが提供される。
【００６０】
また、プリント操作の度に、代行を許可する使用者を選択できるため、プリントの内容に応じた情報開示がされる。
【００６１】
ここで、図６〜図９のフローチャートを参照して、上記構成の画像処理システムＳ１で実行される代行プリントに関するプログラムの処理手順について説明する
【００６２】
図６のフローチャートでは、代行プリント依頼処理の処理手順について説明する。
【００６３】
ステップＳ２０では、代行依頼する使用者は、情報処理装置ＰＣ１〜ＰＣ３からプリント操作を実施して代行プリント依頼、代行使用者ＩＤ、代行使用者、パスワード、時間制限）の設定を行ってからステップＳ２１に移行する。
【００６４】
ステップＳ２１では、プリント情報に代行使用者ＩＤが附加されて、画像処理装置（複合機）ＰＲ１に送信してステップＳ２２に移行する。
【００６５】
ステップＳ２２では、画像処理装置（複合機）ＰＲ１は、受信したプリント情報を保持する。保持したプリント情報は、プリント依頼元使用者と代行使用者を使用者情報にリンクを張って処理を終了する。
【００６６】
図７のフローチャートでは、代行使用者のプリント操作処理の処理手順について説明する。
【００６７】
ステップＳ３０では、代行使用者は、プリント出力するために、画像処理装置（複合機）ＰＲ１に接続された認証部２２にＩＤを読込ませて、画像処理装置（複合機）ＰＲ１の使用許可を得てステップＳ３１に移行する。
【００６８】
ステップＳ３１では、代行使用者自身のプリント情報を検索する。即ち、画像処理装置（複合機）ＰＲ１は、読み取った代行使用者のＩＤでプリント情報を検索して、代行使用者のＩＤで保持されているプリント情報を一覧に表示してステップＳ３２に移行する。
【００６９】
ステップＳ３２では、代行依頼されたプリント情報を検索する。即ち、代行使用者として保持されているプリント情報を検索して一覧表に表示して図８の処理にジャンプする。
【００７０】
また、ステップＳ３２と並行して、ステップＳ３３では他の複合機に代行使用者ＩＤを送信してステップＳ３４に移行して、他の複合機（通信手段Ｎに他の情報処理装置としての複合機が接続されている場合）において、代行プリント情報の展開（例えば、取り込んだ代行プリント情報を展開してビットマップデータに変換する処理）を行ってからステップＳ３２に移行する。
【００７１】
続いて、図８のフローチャートにおいて、ステップＳ３５で、代行使用者は、「自身がプリント依頼したジョブの一覧表から、印刷するプリント情報を選択し」、「代行プリント一覧から、印刷するプリント情報を選択」し、「代行プリントするプリント情報にパスワードが設定されていた場合に、所定のパスワードを入力し」、「選択したプリント情報を決定」してからステップＳ３６に移行する。
【００７２】
ステップＳ３６では、画像処理装置（複合機）ＰＲ１は、代行使用者自身のプリント情報を印刷してステップＳ３７に移行する。
【００７３】
ステップＳ３７では、プリント情報にパスワードが設定されているか否かが判定され、「Ｎｏ」の場合にはステップＳ４１に移行して、プリント情報を印刷してステップＳ４２に移行する。
【００７４】
一方、ステップＳ３７で「Ｙｅｓ」と判定された場合には、ステップＳ３８に移行して、代行使用者が入力したパスワードとプリント情報に設定されたパスワードが一致するか否かが判定される。
【００７５】
判定結果が「Ｎｏ」の場合にはステップＳ４０に移行して、プリント情報を印刷しないでステップＳ４２に移行し、判定結果が「Ｙｅｓ」の場合にはステップＳ３９に移行して、プリント情報を印刷してステップＳ４２に移行する。
【００７６】
ステップＳ４２では、他の複合機から入手したプリント情報の結果は、送り先の複合機に送信してからステップＳ４３に移行する。
【００７７】
ステップＳ４３では、印刷結果を表示して、初期画面に戻り、処理を終了する。
【００７８】
次に、図９のフローチャートに基づいて、他の画像処理装置（プリンタ）による代行プリント情報の展開に関する処理の処理手順について説明する。
【００７９】
ステップＳ５０では、他の複合機から代行使用者のプリント情報確認の通知を受信してステップＳ５１に移行する。
【００８０】
ステップＳ５１では、代行依頼されたプリント情報を検索する処理が行われる。即ち、確認依頼されたＩＤで、代行使用者として保持されているプリント情報を検索してステップＳ５２に移行する。
【００８１】
ステップＳ５２では、代行プリント可能なプリント情報を、依頼元の画像処理装置（複合機）ＰＲ１に送信する。
【００８２】
次いで、ステップＳ５５に移行して、代行プリント結果を受信して、プリント情報に反映する、
【００８３】
あるいはステップＳ５３に移行して、代行プリントの処理を行い、ステップＳ５４で代行プリントの処理結果をプリント情報元の画像処理装置（複合機）ＰＲ１に送信する処理が行われる。
【００８４】
なお、情報処理装置ＰＣ１〜ＰＣ３からプリント情報を印刷する場合に限らず、画像読取装置（スキャナ装置等）で原稿の読み取りを行い、読み取った画像データを親展ボックスに一時保存して印刷する場合においても、代行使用者の設定を行ってもよい。
【００８５】
また、代行使用者の設定を行った結果、画像読取装置（スキャナ装置等）で原稿を読み取った使用者以外の使用者からも出力されるようになる。
【００８６】
（第２の実施の形態）
【００８７】
図１０を参照して、本発明についての第２の実施の形態に係る画像処理システムＳ２について説明する。
【００８８】
第２の実施の形態に係る画像処理システムＳ２が、第１の実施の形態に係る画像処理システムＳ１と異なる点は、認証サーバＳＡ１、プリントサーバＰＳ１を通信手段Ｎに接続している点である。
【００８９】
図１０に示すように、画像処理システムＳ２は、画像に関する処理を行う２台の画像処理装置（複合機またはプリンタ等の画像形成装置またはスキャナ装置党の画像読取装置）ＰＲ１、ＰＲ２と、画像処理装置ＰＲ１、ＰＲ２とＬＡＮ等で構成される通信手段Ｎを介して接続されるパーソナルコンピュータ等で構成される情報処理装置ＰＣ１〜ＰＣ３と、画像処理システムＳ２を代行して使用する代行使用者を認証する認証機ＣＥ１、ＣＥ２（認証手段の一例）と、プリント情報Ｄ１を格納するプリントサーバＰＳ１と、代理使用者に関する情報を含む使用者情報Ｄ２を格納し、認証機ＣＥ１、ＣＥ２と協働して代理使用者を認証する認証サーバＳＡ１とから構成されている。
【００９０】
なお、通信手段Ｎに接続される画像処理装置、情報処理装置、プリントサーバ、認証サーバの台数は任意である。
【００９１】
第２の実施の形態に係る画像処理システムＳ２によれば、第１の実施の形態に係る画像処理システムＳ１と同等の効果が得られる。
【００９２】
即ち、使用者がプリント操作する際に、使用者の代わりにプライベート印刷を許可する代行使用者(代行使用者)の指定が可能なプライベート印刷システム（代行プリント）におて、代行使用者が画像処理装置（複合機）ＰＲ１、ＰＲ２から自分のＩＤで認証すると、自分のプライベートプリントの情報と代行プリント可能な情報を、複合機の操作画面に表示することで、自分以外の使用者にプリントを代行する場合に、認証カードの貸し借りせずにプライベートプリントされ、セキュリティを保持しながら、利便性を向上したプライベートプリントが提供される。また、プリント操作の度に、代行を許可する使用者を設定するため、プリントの内容に応じて情報開示が制御される。
【００９３】
また、代行使用者が認証して、画像処理装置（複合機）ＰＲ１、ＰＲ２の操作画面にプリント情報を表示する際に、代行使用者自身のプライベートプリントの情報と代行プリント可能な情報を分類表示して、プリントする情報を選択するので、分類することでプリント情報の指定漏れが軽減される。
【００９４】
また、代行使用者から代行プリントが実施された際に、画像処理装置（複合機）ＰＲ１、ＰＲ２に登録されているプリント情報は代行使用者の情報を削除してから再登録し、プリント操作した使用者が、プライベートプリントを実施したタイミングでプリント情報を削除するので、代行使用者がプリントしたにも関わらず、プリント依頼した使用者に印刷物が渡らない場合に、再度、使用者がプリント操作しなくともプリントが可能となる。
【００９５】
また、使用者が代行使用者を指定する際に、パスワードも同時に指定し、代行プリント時に、代行使用者は、使用者が指定したパスワードを入力しないと代行プリントを許可されないので、さらにセキュリティ性が向上され、特別な権限を有する管理者やカスタマーエンジニアによっても印刷されないので情報漏洩が防止される。
【００９６】
また、使用者がスキャン操作する際に、使用者の代わりにスキャンデータの読込を許可する代行使用者(代行使用者)の指定が可能な親展ボックス（スキャン機能の中でサポートされている機能の１つで、スキャンした文書データを保存しておく場所をいう）システム(代行スキャン)において、代行使用者が情報処理装置ＰＣ１〜ＰＣ３から自分のＩＤで画像処理装置（複合機）ＰＲ１、ＰＲ２で認証すると、自分の親展ボックスに登録されたスキャン情報と代行スキャン可能なスキャン情報を、情報処理装置ＰＣ１〜ＰＣ３の画面に表示するので、自分以下の使用者にスキャンデータ読込を代行する場合に、認証ＩＤの貸し借りをせずに、データ読込され、セキュリティ性を保持しながら、利便性のある親展ボックスシステムが提供される。
【００９７】
また、スキャン操作の度に、代行を許可する使用者を設定するため、スキャンデータの内容に応じて情報展開が制御される。
【００９８】
また、代行使用者を認証して、パソコンの画面にスキャン情報を表示する際に、代行使用者自身のスキャン情報と代行スキャンのスキャン情報を分類表示して、読込む情報を選択するので、分類することで、スキャンデータの指定漏れが軽減される。
【００９９】
また、代行使用者からの代行スキャンが実施された際に、画像処理装置（複合機）ＰＲ１、ＰＲ２に登録されているスキャン情報は代行使用者の情報を削除してから再登録し、スキャン操作した使用者が、自分のパソコンからスキャンデータの読込を実施したタイミングでスキャン情報を削除して無効化するので、代行使用者が読込を実施したにも関わらず、読込を依頼した使用者にデータが渡らない場合に、再度、使用者がスキャン操作しなくとも読み込みされる。
【０１００】
また、代行スキャンが実施された時点で、代行スキャンを非許可（無効）にすることで、複数の代行使用者からの読込が防止される。
【０１０１】
また、使用者が代行使用者を指定する際に、パスワードの同時に指定し、代行スキャン時に、代行使用者は使用者が指定したパスワードを入力しないと代行スキャンを許可されないので、さらにセキュリティ性が向上される。
【０１０２】
また、特別な権限を有する管理者やカスタマーエンジニアであっても読込できないため情報漏洩が防止される。
【０１０３】
また、代行処理した使用者の操作履歴は、画像処理装置（複合機）ＰＲ１、ＰＲ２に保持されるので、代行使用者が特定され情報漏洩が抑止される。
【０１０４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１０５】
また、プログラムを用いる場合には、通信手段を介して提供し、或いはＣＤ−ＲＯＭ等の記録媒体に格納して提供することが可能である。
【０１０６】
即ち、画像処理プログラムを含む所定のプログラムを記録媒体としてのハードディスク等の記憶装置に記録する場合に限らず、当該所定のプログラムを次のようにして提供することも可能である。
【０１０７】
例えば、所定のプログラムをＲＯＭに格納しておき、ＣＰＵが、この所定のプログラムをこのＲＯＭから主記憶装置へローディングして実行するようにしてもよい。
【０１０８】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１０９】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１１０】
本発明による画像処理装置、情報処理装置および画像処理システムは、スキャナ装置、スキャナ装置を備えるプリンタや複合機等に適用することができる。
【符号の説明】
【０１１１】
Ｓ１、Ｓ２  画像処理システム
ＰＲ１、ＰＲ２  画像形成装置
ＰＣ１〜ＰＣ３  情報処理装置
Ｎ  通信手段
２０  ジョブ送信部
２１  ジョブ蓄積部
２２  認証部
２３  ジョブ取得部
２４  印刷部
ＣＥ１  認証機
ＰＳ１  プリントサーバ
ＳＡ１  認証サーバ
【図１】
0005605742.tif 000002
【図２】
0005605742.tif 000003
【図３】
0005605742.tif 000004
【図４】
0005605742.tif 000005
【図５】
0005605742.tif 000006
【図６】
0005605742.tif 000007
【図７】
0005605742.tif 000008
【図８】
0005605742.tif 000009
【図９】
0005605742.tif 000010
【図１０】
0005605742.tif 000011